(57)【特許請求の範囲】
【請求項１】
情報記録カードに記録されている本人確認のためのＩＤ情報を再生する情報再生装置と、前記再生装置に接続され、前記本人確認のためのＩＤ情報を表示する表示装置とを含み、前記カードには本人確認のためのＩＤ情報が印刷されており、前記表示装置に表示されたＩＤ情報と前記カードに印刷されたＩＤ情報に基づいて本人確認を行うシステムにおいて、前記再生装置から前記カードが排出された後、前記表示装置にＩＤ情報を表示しつづけることを特徴とするＩＤカードシステム。
【請求項２】
前記ＩＤ情報は、カード所有者の顔写真、氏名または住所情報であることを特徴とする請求項１に記載のＩＤカードシステム。
【請求項３】
前記カードは、光学的に情報を記録／再生する光記録部を有することを特徴とする請求項１に記載のＩＤカードシステム。
【請求項４】
前記光記録部は、記録情報の消去書換えが不可能な追記型媒体から成ることを特徴とする請求項３に記載のＩＤカードシステム。
【発明の詳細な説明】
【０００１】
【発明の属する技術分野】
本発明は、情報記録カードを用いて本人確認を行うＩＤカードシステムに関するものである。
【０００２】
【従来の技術】
従来、カード型の情報記録媒体として、磁気カード、ＩＣカード、光カード等各種のものが知られている。磁気カードは磁気的に情報を記録／再生する磁気記録部を有し、記録容量は数十バイト程度ではあるが、価格が安く使いやすいために広く普及している。しかしながら、磁気カードはセキュリティーが低く、偽造が容易であるために社会問題となっている。そのため、近年はセキュリティーの高いＩＣカードが注目を集めている。一般に、ＩＣカードはＣＰＵ、ＲＯＭ、ＲＡＭ、電気的に消去可能なＥＥＰＲＯＭを内蔵したＩＣ部を有し、電気的に情報を記録再生することが可能である。通常、ＩＣカードの記録容量は約８ｋバイト程度で、価格は磁気カードより高いが、セキュリティーが非常に高いために今後広く普及していく事が予想される。
【０００３】
一方、光カードは光学的に情報を記録、再生する光記録部を有し、記録した情報を消去できない追記型の記録媒体ながら光カードの記録容量は数メガバイトと大きく、価格も比較的安いために、広い応用範囲が考えられている。また、最近では、光カードの記録容量の大きさとＩＣカードのセキュリティーの高さに注目して、光学的に情報を記録再生する光記録部及びＣＰＵ、ＲＯＭ、ＲＡＭと電気的に消去可能なＥＥＰＲＯＭを内蔵したＩＣ部とを有する光・ＩＣカードも開発されている。
【０００４】
図６は光カードの一例を示す平面図である。図６において、光カード１には光学的に情報を記録／再生する光記録部２が設けられている。光記録部２にはトラッキングトラック３が平行に多数配列され、その間に情報を記録するための情報トラック４が設けられている。各情報トラック４の両端には予め情報トラック４を識別するための物理的トラック番号５Ａ、５Ｂが付加されている。通常、情報トラック４にはセクタ単位でデータ６が記録される。光記録部２は前述のように消去書き換えの不可能な追記型の媒体である。また、光カードのデータを管理するには、データをブロック毎にファイルとして扱うファイル管理を行うのが一般的である。
【０００５】
図７は光カード１に情報を記録／再生する従来例の光カード記録再生装置の構成を示す図である。図７において、まず、光カード記録再生装置７１は上位制御装置のホストコンピュータ７２にＳＣＳＩバスを介して接続され、ホストコンピュータ７２の制御に基づいて情報の記録、再生を行う。光カード１は図６のカード媒体である。７７は不図示の搬送機構を駆動して光カード１を装置７１内の所定位置に設けられた載置台（図示せず）上に導入し、また、記録／再生時は所定位置にて載置台をＲ方向に往復移動させ、更に光カード１を機外に排出するためのカード送りモータである。
【０００６】
７８は光源の半導体レーザを含む光ビーム照射光学系であり、情報の記録再生時には光源の光ビームを微小光スポットに絞って光カード１上に照射する。７９は光カード１から反射された光を検出する光検出器、８０は光ビーム照射光学系７８の一部を駆動して光カード１上の光スポットのピント位置をＺ方向、即ち、カード面と垂直方向に移動させてオートフォーカス制御を行うためのＡＦアクチュエータ、８１は光ビーム照射光学系７８の一部を駆動して光カード１上の光スポットをＹ方向、即ち、光カード１の情報トラックに直交する方向に移動させてオートトラッキング制御を行うためのＡＴアクチュエータである。これらの光ビーム照射光学系７８、光検出器７９、ＡＦアクチュエータ８０、ＡＴアクチュエータ８１を含んで光ヘッド８２が構成されている。７６は光ヘッド８２をＹ方向に移動させて光スポットを所望のトラックにアクセスするためのヘッド送りモータである。
【０００７】
ＭＰＵ７３は装置７１内の各部を制御するためのプロセッサ回路であり、ＲＯＭ、ＲＡＭを内蔵している。ＭＰＵ７３はヘッド送りモータ７６、カード送りモータ７７等を制御し、また、ホストコンピュータ７２とデータの送受信を行う。ＡＴ／ＡＦ制御回路７４は光検出器７９からの出力信号をもとにＡＦアクチュエータ８０とＡＴアクチュエータ８１を駆動し、光ビーム照射光学系７８からの光スポットが光カード面に焦点を結ぶように、また光スポットが情報トラックに追従して走査するようにオートフォーカス制御とオートトラッキング制御を行う。変復調回路７５はＭＰＵ７３の制御に基づいて記録情報を変調し、再生情報を復調するための回路である。
【０００８】
ＭＰＵ７３はホストコンピュータ７２から記録命令を受けると、各部を制御して指定されたセクタにデータを記録し、再生命令を受けると指定されたセクタのデータを再生し、ホストコンピュータ７２に転送する。ここで、情報の記録時にはホストコンピュータ７２からの記録データを変復調回路７５で変調し、変調信号に応じて光ビーム照射光学系７８内の光源を駆動することによって光カード１上に情報の記録を行う。また、情報再生時には、光ビーム照射光学系７８から光カード１上に再生用の光ビームを照射し、光検出器７９で光カード１からの反射光（または透過光）を検出し、変復調回路７５で光検出器７９の信号をもとに所定の信号処理を行うことによって記録情報を復調する。また、ホストコンピュータ７２には図示しないディスプレイとキーボードが接続されていて、キーボードの操作により光カードへの記録／再生やディスプレイ上への光カード１の再生情報の表示ができるように構成されている。
【０００９】
ところで、光カードは携帯性に優れ、記録容量も比較的大きいので、ＩＤカードとしての利用が考えられている。光カードをＩＤカードとして利用する場合、光記録部とは裏側の面にカード所有者の氏名、顔写真等のＩＤ情報を印刷し、光記録部にはこの印刷されたＩＤ情報をディスプレイに表示可能な情報として記録しておく。このように顔写真を表示可能な情報として記録する場合、画像の大きさを縦横８０ドットとすると、ビットマップ形式ならば約１８Ｋバイト必要である。このような大容量の情報を記録するには光カード以外の記録カードでは記録できず、光カードは最も適した媒体である。
【００１０】
図８は光カードを用いて本人確認を行う場合の方法を示すフローチャートである。なお、光カードは図６のものを用いるものとし、光カード１の光記録部２にはカード所有者の氏名、顔写真等の画像情報が記録されているものとする。また、光カード１の裏面（光記録部２とは反対側の面）にカード所有者の氏名と顔写真が印刷されているものとする。図８において、まず、ホストコンピュータ７２に接続されたディスプレイ上に「カードを挿入して下さい」と表示し、使用者にカードの挿入を促すメッセージを表示する（ステップ８０１）。この状態で、カードが挿入されるのを待ち（ステップ８０２）、カードが挿入されると記録再生装置７１を制御して光カード１に記録されている氏名、顔写真の画像情報等の個人情報を再生し、ディスプレイ上に表示する（ステップ８０３）、次いで、カードの排出要求を待ち（ステップ８０４）、排出要求が発行されると光カードを装置７１から排出して（ステップ８０５）、再びステップ８０１でカードの挿入を促すメッセージを表示する。
【００１１】
ここで、ステップ８０３においてディスプレイ上に表示された顔写真等の個人情報とカード所有者本人を照合し、カード所有者の身分を確認した後にカードを排出している。もちろん、本人の確認はカードに印刷された顔写真と本人の顔を比較することによっても可能であるが、印刷された顔写真は比較的偽造が容易である。一方、光カードは書換え不可能であり、万一書換えを行ってもその痕跡が残るため、光カード上のデータは非常に偽造が困難である。そこで、本人の顔、カードに印刷された顔写真、カードから読み出した顔写真の３者を比較して本人確認を行うことにより、万一カードに印刷された顔写真が偽造されたとしても発見することが可能で、セキュリティーの非常に高いＩＤカードシステムを構築することが可能である。
【００１２】
【発明が解決しようとする課題】
しかしながら、上記従来のシステムでは、装置７１にカードを挿入して個人情報を読み出し、ディスプレイ上に表示することによって本人確認を行うのであるが、この時、光カード１は装置７１に挿入されているので、カードに印刷された顔写真、ディスプレイ上の顔写真、本人の顔を同時に照合できなかった。また、カードを排出すると、ディスプレイ上の顔写真は次のカードの挿入を促すメッセージに書き換えられるので、やはり本人の顔、カードから読み出した顔写真、カードに印刷された顔写真を同時に照合することができなかった。
【００１３】
本発明は、上記従来の問題点に鑑みなされたもので、表示装置上のＩＤ情報、カードに印刷されたＩＤ情報、及びカード所有者本人を同時に照合することが可能なＩＤカードシステムを提供することを目的とする。
【００１４】
【課題を解決するための手段】
本発明の目的は、情報記録カードに記録されている本人確認のためのＩＤ情報を再生する情報再生装置と、前記再生装置に接続され、前記本人確認のためのＩＤ情報を表示する表示装置とを含み、前記カードには本人確認のためのＩＤ情報が印刷されており、前記表示装置に表示されたＩＤ情報と前記カードに印刷されたＩＤ情報に基づいて本人確認を行うシステムにおいて、前記再生装置から前記カードが排出された後、前記表示装置にＩＤ情報を表示しつづけることを特徴とするＩＤカードシステムによって達成される。
【００１５】
【発明の実施の形態】
以下、本発明の実施の形態について図面を参照して詳細に説明する。図１は本発明によるＩＤカードシステムの一実施形態の構成を示す図である。図１において、まず、本実施形態によるシステムは、光カード１の情報を再生する情報再生装置、再生装置を操作するためのキー入力部３７、再生装置の操作方法や光カード１から再生された情報を表示する表示部３８から構成されている。図１のキー入力部３７、表示部３８以外は再生装置を構成している。また、表示部３８は液晶カラーディスプレイと表示データを記憶する表示用ＲＡＭを備えている。ＩＤカードとしては、図６の追記型の光記録部２を有する光カード１を用いるものとする。
【００１６】
次に、情報再生装置について説明する。まず、図１の３５は不図示の搬送機構を駆動して光カード１を装置内の所定位置に設けられた載置台３６上に導入し、また、所定位置にて載置台３６をＲ方向に往復移動させ、更に光カード１を機外に排出するためのカード送りモータである。光カード１が図示しない挿入口に挿入されると、光カード１はモータ３５の駆動により載置台３６上に搬送され、情報の再生が可能な状態となる。４３は光源の半導体レーザを含む光ビーム照射光学系であり、情報の再生時には光源の光ビームを微小光スポットに絞って光カード１の光記録部２上に照射する。
【００１７】
４４は光記録部２から反射された光を検出する光検出器、４１は光ビーム照射光学系４３の一部を駆動して光記録部２上の光スポットのピント位置をＺ方向、即ちカード面と垂直方向に移動させてオートフォーカス制御を行うためのＡＦアクチュエータ、４２は光ビーム照射光学系４３の一部を駆動して光記録部２上の光スポットをＹ方向、即ちカードの情報トラックに直交する方向に移動させてオートトラッキング制御を行うためのＡＴアクチュエータである。これらの光ビーム照射光学系４３、光検出器４４、ＡＦアクチュエータ４１、ＡＴアクチュエータ４２を含んで光ヘッド４０が構成されている。３４は光ヘッド４０をＹ方向に移動させて光スポットを所望のトラックにアクセスするためのヘッド送りモータである。
【００１８】
ＭＰＵ３１は装置内の各部を制御するためのプロセッサ回路であり、ＲＯＭ、ＲＡＭを内蔵している。ＭＰＵ３１はヘッド送りモータ３４、カード送りモータ３５等の各部を制御し、また、キー入力部３７のキーの検知や表示部３８を制御して画像情報、文字情報の表示を行う。ＡＴ／ＡＦ制御回路３２は光検出器４４からの出力信号をもとにＡＦアクチュエータ４１とＡＴアクチュエータ４２を駆動し、光ビーム照射光学系４３からの光スポットが光記録部２に焦点を結ぶように、また、光スポットが情報トラックに追従して走査するようにオートフォーカス制御とオートトラッキング制御を行う。
【００１９】
復調回路３５はＭＰＵ３３の制御に基づいて再生情報を復調するための回路である。情報再生時には、光ビーム照射光学系４３から光記録部２に再生用の光ビームを照射し、光検出器４４で光記録部２からの反射光（または透過光）を検出し、復調回路３３で光検出器４４の信号をもとに所定の信号処理を行うことによって記録情報を復調する。復調された情報はＭＰＵ３１に転送される。
【００２０】
ここで、ＭＰＵ３１は表示部３８に表示を行う場合、ＭＰＵ３１に内蔵されているＲＡＭに表示データを作成し、表示データを表示部３８に転送する。表示部３８に転送された表示データは、表示部３８内の不図示の表示用ＲＡＭに記憶され、表示部３８の液晶カラーディスプレイに表示される。従って、表示部３８内の表示用ＲＡＭが書換えられない限り、液晶カラーディスプレイの表示は保持されたままである。表示部３８における表示は、予めＭＰＵ３１内のＲＯＭに格納されているデータを表示する場合と、ＭＰＵ３１内に格納されている光カード１から読み出したデータを表示する場合がある。
【００２１】
図２は光カード１の光記録部２に記録されている情報を示す図である。ファイル１はカード所有者の氏名、住所等の個人情報が記録されたファイル、ファイル２はカード所有者の顔写真の画像情報が記録されたファイルである。また、図３に示すように光カード１の裏面（光記録部２とは反対側の面）には、ファイル１，ファイル２と同様の情報、即ち、カード所有者の顔写真７、カード所有者の氏名８が印刷されている。なお、図２では光カード１の情報としてファイル１とファイル２を示しているが、システムの用途に応じてその他の情報を記録することはもちろんである。
【００２２】
次に、本実施形態の具体的な動作を図４のフローチャートを参照しながら説明する。図４において、まず、システムの待機状態ではＭＰＵ３１は内部のＲＯＭに記憶しているデータを表示部３８の表示用ＲＡＭに転送し、表示部３８の液晶カラーディスプレイ上にカードの挿入を促す「カードを挿入して下さい」を表示する（ステップ４０１）。この状態で、光カード１が挿入されるのを待ち（ステップ４０２）、光カード１が挿入されると、ＭＰＵ３１は表示部３８の表示用ＲＡＭのデータを消去し、表示部３８の光カード１の挿入を促すメッセージをクリアする（ステップ４０３）。次いで、ＭＰＵ３１は各部を制御して光カード１のファイル１，２にアクセスし、ファイル１，２に記録されている情報を再生する（ステップ４０４）。また、再生情報を表示部３８の表示用ＲＡＭに転送し、表示部３８の液晶カラーディスプレイ上にファイル１，２の情報を表示する（ステップ４０４）。
【００２３】
図５はこの表示部３８に表示された表示情報を示している。５１は光カード１のファイル１に記録されている氏名と住所の個人情報、５２はファイル２に記録されている顔写真の画像である。次いで、使用者はキー入力部３７を操作して光カード１の排出命令を発行し、ＭＰＵ３１は排出命令を受信するとカード送りモータ３５を制御して光カード１を機外に排出する（ステップ４０５）。光カード１を排出すると、ステップ４０２に戻って光カード１が挿入されるのを待つ状態となる。
【００２４】
ここで、本実施形態では、光カード１を排出した後も表示部３８の表示用ＲＡＭにファイル１，２の情報が保持され、液晶カラーディスプレイ上には図５に示すように氏名と住所、顔写真が表示しつづけられる。従って、光カード１を排出した後、表示部３８に表示されている氏名と住所の個人情報、顔写真の画像、光カード１の裏面に印刷されている氏名と住所の個人情報、顔写真、及びカード所有者の顔を同時に照合して本人確認を行うことができる。なお、本発明は、本人確認を必要とする様々なシステムに用いることができ、例えば、通関システム、クレジットカードシステム等に好適に用いることができる。
【００２５】
【発明の効果】
以上説明したように本発明によれば、情報記録カードを排出した後も表示部にＩＤ情報を表示しつづけることにより、ＩＤカードに記録されているＩＤ情報、ＩＤカードの裏面に印刷されているＩＤ情報、及びカード所有者本人の顔を同時に照合することができるので、セキュリティーの高いＩＤカードシステムを実現することができる。
【図面の簡単な説明】
【図１】本発明のＩＤカードシステムの一実施形態の構成を示す図である。
【図２】図１の実施形態に用いる光カードの記録情報を示す図である。
【図３】光カードの裏面に印刷されている内容を示す図である。
【図４】図１の実施形態の動作を説明するためのフローチャートである。
【図５】表示部に表示された内容を示す図である。
【図６】光カードの一例を示す平面図である。
【図７】従来例の光カード記録再生装置を示す図である。
【図８】従来の光カードを用いて本人確認を行う方法を説明するためのフローチャートである。
【符号の説明】
１    光カード
２    光記録部
３１    ＭＰＵ
３２    ＡＴ／ＡＦ制御回路
３３    復調回路
３７    キー入力部
３８    表示部
【図１】
0003849901.tif 000002
【図２】
0003849901.tif 000003
【図３】
0003849901.tif 000004
【図４】
0003849901.tif 000005
【図５】
0003849901.tif 000006
【図６】
0003849901.tif 000007
【図７】
0003849901.tif 000008
【図８】
0003849901.tif 000009